(57)【要約】【課題】  １つの遊技盤上に独立した複数の図柄表示手段を設けたことによる遊技の興趣を遊技者に対して十分に付与することができるパチンコ遊技機を提供する。【解決手段】  遊技球が弾発される遊技盤４上に形成され、図柄を変動表示させる第１図柄表示手段６及び第２図柄表示手段７と、これら図柄表示手段６，７のそれぞれに対応して遊技盤４上に形成され、各図柄表示手段で表示させる図柄を変動表示開始するための第１始動口８及び第２始動口９とを具備したパチンコ遊技機において、遊技盤４上に弾発された遊技球を第１始動口８及び第２始動口９に順番に振り分けるべく、当該複数の始動口のそれぞれに向けて設定順序で順次遊技球を排出し得る振り分け手段１４を備えたものである。【選択図】図２
2006247114.tif 000002
【特許請求の範囲】
【請求項１】
遊技球が弾発される遊技盤上に形成され、図柄を変動表示させる複数の図柄表示手段と、
該図柄表示手段のそれぞれに対応して前記遊技盤上に形成され、各図柄表示手段で表示させる図柄を変動表示開始するための複数の始動口と、
を具備したパチンコ遊技機において、
前記遊技盤上に弾発された遊技球を前記複数の始動口に順番に振り分けるべく、当該複数の始動口のそれぞれに向けて設定順序で順次遊技球を排出し得る振り分け手段を備えたことを特徴とするパチンコ遊技機。
【請求項２】
前記振り分け手段は、
前記遊技盤上に弾発された遊技球を一旦保持する保持手段と、
該保持手段によって遊技球が保持された状態であることを検知する検知手段と、
該検知手段が遊技球の保持状態を検知した際に前記保持手段を駆動し、遊技球を前記複数の始動口のそれぞれに向けて順次排出する駆動手段と、
を有したことを特徴とする請求項１記載のパチンコ遊技機。
【請求項３】
前記振り分け手段は、
遊技盤上に弾発された遊技球を導入する導入口から前記複数の始動口に向かって遊技球を排出し得る複数の排出口まで延びる流路部と、
該流路部の途中に回動可能に配設され、回動方向に伴って当該流路部を通過する遊技球の流路を順次変更する流路変更手段と、
を有したことを特徴とする請求項１記載のパチンコ遊技機。
【請求項４】
前記流路変更手段は、前記流路部を通過する遊技球と衝突し、その衝突力にて回動して遊技球の流路を順次変更することを特徴とする請求項３記載のパチンコ遊技機。
【請求項５】
前記流路変更手段は、遊技球と衝突して回動した後、磁力にて所定位置に静止し、遊技球を何れかの排出口まで通過させ得るものであることを特徴とする請求項４記載のパチンコ遊技機。
【発明の詳細な説明】
【技術分野】
【０００１】
本発明は、図柄を変動表示させる図柄表示手段及び該図柄表示手段のそれぞれに対応した始動口を複数具備したパチンコ遊技機に関するものである。
【背景技術】
【０００２】
通常、例えば第１種とよばれるパチンコ遊技機においては、３つの図柄を変動表示させる図柄表示手段、該図柄表示手段で表示させる図柄を変動表示開始するための始動口等が遊技盤上に形成されており、例えば図柄表示手段にて同一の図柄が揃って停止表示されれば、大当たり状態が発生して、賞球として多数の遊技球が獲得され得るようになっている。
【０００３】
然るに、従来、互いに独立した複数の図柄表示手段と、それぞれに対応した複数の始動口とが１つの遊技盤上に配設され、何れかの始動口に遊技球が入賞することにより、それと対応した図柄表示手段が変動表示開始するパチンコ遊技機が提案されている（例えば特許文献１にて開示。）かかるパチンコ遊技機によれば、それぞれの図柄表示手段による遊技形態を互いに異ならせて多様な遊技展開を行わせることができる。
【特許文献１】特開２００３−３１０９２５号公報
【発明の開示】
【発明が解決しようとする課題】
【０００４】
しかしながら、上記従来のパチンコ遊技機においては、各図柄表示手段に対応させた始動口を１つの遊技盤上に複数配設しなければならないため、その配設位置の相違から、始動口毎に入賞率の偏りが生じてしまう虞があった。従って、頻繁に変動表示される図柄表示手段と、そうでない図柄表示手段とが顕著に表れることとなり、１つの遊技盤上に独立した複数の図柄表示手段を設けたことによる遊技の興趣を遊技者に対して十分に付与することができないという問題があった。
【０００５】
本発明は、このような事情に鑑みてなされたもので、１つの遊技盤上に独立した複数の図柄表示手段を設けたことによる遊技の興趣を遊技者に対して十分に付与することができるパチンコ遊技機を提供することにある。
【課題を解決するための手段】
【０００６】
請求項１記載の発明は、遊技球が弾発される遊技盤上に形成され、図柄を変動表示させる複数の図柄表示手段と、該図柄表示手段のそれぞれに対応して前記遊技盤上に形成され、各図柄表示手段で表示させる図柄を変動表示開始するための複数の始動口とを具備したパチンコ遊技機において、前記遊技盤上に弾発された遊技球を前記複数の始動口に順番に振り分けるべく、当該複数の始動口のそれぞれに向けて設定順序で順次遊技球を排出し得る振り分け手段を備えたことを特徴とする。
【０００７】
請求項２記載の発明は、請求項１記載のパチンコ遊技機において、前記振り分け手段は、前記遊技盤上に弾発された遊技球を一旦保持する保持手段と、該保持手段によって遊技球が保持された状態であることを検知する検知手段と、該検知手段が遊技球の保持状態を検知した際に前記保持手段を駆動し、遊技球を前記複数の始動口のそれぞれに向けて順次排出する駆動手段とを有したことを特徴とする。
【０００８】
請求項３記載の発明は、請求項１記載のパチンコ遊技機において、前記振り分け手段は、遊技盤上に弾発された遊技球を導入する導入口から前記複数の始動口に向かって遊技球を排出し得る複数の排出口まで延びる流路部と、該流路部の途中に回動可能に配設され、回動に伴って当該流路部を通過する遊技球の流路を順次変更する流路変更手段とを有したことを特徴とする。
【０００９】
請求項４記載の発明は、請求項３記載のパチンコ遊技機において、前記流路変更手段は、前記流路部を通過する遊技球と衝突し、その衝突力にて回動して遊技球の流路を順次変更することを特徴とする。
【００１０】
請求項５記載の発明は、請求項４記載のパチンコ遊技機において、前記流路変更手段は、遊技球と衝突して回動した後、磁力にて所定位置に静止し、遊技球を何れかの排出口まで通過させ得るものであることを特徴とする。
【発明の効果】
【００１１】
請求項１の発明によれば、遊技盤上に弾発された遊技球を複数の始動口に順番に振り分けるので、始動口の配設位置の相違から、始動口毎に入賞率の偏りが生じてしまうのを回避でき、１つの遊技盤上に独立した複数の図柄表示手段を設けたことによる遊技の興趣を遊技者に対して十分に付与することができる。
【００１２】
請求項２の発明によれば、保持手段による遊技球の保持状態を検知手段にて検知し、駆動手段にて保持手段を駆動させ、遊技球を複数の始動口のそれぞれに向けて順次排出するので、遊技球の振り分け動作を確実且つ円滑に行わせることができる。
【００１３】
請求項３の発明によれば、流路変更手段の回動に伴って流路部を通過する遊技球の流路を順次変更し、複数の始動口のそれぞれに向けて設定順序で順次遊技球を排出し得るので、比較的簡単な構成にて振り分け手段を構成することができる。
【００１４】
請求項４の発明によれば、流路変更手段が、流路部を通過する遊技球と衝突し、その衝突力にて回動して遊技球の流路を順次変更するので、モータ等別途の駆動手段を不要とすることができ、製造コスト及びメンテナンスコスト等を低減させることができる。
【００１５】
請求項５の発明によれば、流路変更手段は、遊技球と衝突して回動した後、磁力にて所定位置に静止し、遊技球を何れかの排出口まで通過させ得るので、簡単な構成にて流路変更手段を所定位置に静止させることができ、選択された排出口に遊技球をより確実に導くことができる。
【発明を実施するための最良の形態】
【００１６】
以下、本発明の実施形態について図面を参照しながら具体的に説明する。
第１の実施形態に係るパチンコ遊技機は、図１に示すように、ガラス板２が取り付けられた前面枠３を有しており、かかるガラス板２から遊技者が遊技盤４を目視し得るように構成されている。当該遊技盤４には、大入賞口１０の他、図示しない複数の釘或いは風車等が形成されている。
【００１７】
遊技盤４の略中央には、役物５が形成されており、この役物５の左右両側には液晶表示装置などから成る第１図柄表示手段６及び第２図柄表示手段７がそれぞれ配設されている。これら第１図柄表示手段６及び第２図柄表示手段７は、それぞれ独立して各画面に複数の図柄を変動表示させ得るようになっている。また、役物５の下方の位置には、第１図柄表示手段６と対応した第１始動口８及び第２図柄表示手段７と対応した第２始動口９が左右一対に形成されている。
【００１８】
即ち、第１始動口８に遊技球が入賞すると、第１図柄表示手段６における複数の図柄を変動表示開始させるとともに、第２始動口９に遊技球が入賞すると、第２図柄表示手段７における複数の図柄を変動表示開始させるようになっており、これらは各々独立した遊技の表示を行い得るものとされている。そして、例えば第１図柄表示手段６又は第２図柄表示手段７において、同一の図柄が揃って停止表示されれば、「大当たり状態」が発生し、大入賞口１０を所定時間及びタイミングで開閉させて、遊技者が多数の遊技球を獲得することができる。
【００１９】
更に、役物５における第１図柄表示手段６及び第２図柄表示手段７の下部近傍には、それぞれ４つのランプから成る貯留個数表示ランプ１５及び１６が形成されており、各々の図柄表示手段の図柄の変動動作中、更に遊技球が始動口に入賞したとき、その入賞の個数に応じてランプを点灯させ、遊技者に貯留個数を表示し得るようになっている。尚、パチンコ遊技機１の下部右隅にはハンドル１１が配設されており、該ハンドル１１の回動操作により上皿１２内の遊技球を遊技盤４へ弾発し得るよう構成されている。また、同図中符号１３は、パチンコ遊技機１の下皿を示している。
【００２０】
役物５の中央には、図２に示すように、遊技球を通過させ得る流路部１７が形成されている。かかる流路部１７は、遊技盤４上に弾発された遊技球を導入する導入口１７ａから２つの始動口（第１始動口８及び第２始動口９）に向かって遊技球を排出し得る一対の排出口１７ｂ、１７ｃまで延びて形成されており、その途中には導入口１７ａと排出口１７ｂ及び１７ｃの両者に通じる振り分け室１７ｄが形成されている。
【００２１】
振り分け室１７ｄ及びその上部の流路部１７には、検知手段１９と、保持手段１８（本発明の流路変更手段も兼ねる）と、駆動手段としてのモータ２０（図３参照）とから成る振り分け手段１４が設けられている。保持手段１８は、振り分け室１７ｄ内においてモータ２０により回動軸Ｌ１を中心に回動可能に配設された円板状部材から成り、その一部に遊技球を保持し得る凹部１８ａが形成されている。
【００２２】
検知手段１９は、流路部１７を通って振り分け室１７ｄに遊技球が至るのを検知し得るセンサ等から成り、これにより、保持手段１８によって遊技球が保持された状態であることを検知可能とされている。この検知手段１９とモータ２０を駆動させる制御手段（不図示）とは、電気的に接続されており、検知手段１９で遊技球を検知すると、保持手段１８を左右何れかの方向に回動させ得るよう構成されている。
【００２３】
導入口１７ａから導入された遊技球は、保持手段１８の凹部１８ａにて一旦保持される一方、検知手段１９にて保持状態が検知されるとともに、検知手段１９からモータ２０側に制御信号が送信されて、保持手段１８が遊技球を保持したまま、左方向（回動軸Ｌ１を中心とした反時計回り）又は右方向（回動軸Ｌ１を中心とした時計回り）へ回動することとなる。
【００２４】
保持手段１８の回動方向は、左右交互となるよう設定されており、その回動に伴って流路部１７を通過する遊技球の流路が順次変更されるようになっている。即ち、保持手段１８が左方向へ回動し、その凹部１８ａが下方を向いた状態で静止すると、保持された遊技球は排出口１７ｂ側に落下し、第１始動口８に入賞し得るとともに、保持手段１８が右方向へ回動し、凹部１８ａが下方を向いた状態で静止すると、保持された遊技球は排出口１７ｃ側に落下し、第２始動口９に入賞し得るよう構成されている。
【００２５】
これにより、遊技球を２つの始動口（第１始動口８及び第２始動口９）のそれぞれに向けて設定順序で順次遊技球を排出し得るので、遊技球を当該２つの始動口に順番に振り分けることができる。しかして、第１始動口８及び第２始動口９の配設位置の相違から、始動口毎に入賞率の偏りが生じてしまうのを回避でき、１つの遊技盤４上に独立した複数の図柄表示手段（第１図柄表示手段６及び第２図柄表示手段７）を設けたことによる遊技の興趣を遊技者に対して十分に付与することができる。
【００２６】
また、保持手段１８（流路変更手段も兼ねる）の回動に伴って流路部１７を通過する遊技球の流路を順次変更し、複数の始動口（第１始動口８及び第２始動口９）のそれぞれに向けて設定順序で順次遊技球を排出し得るので、比較的簡単な構成にて振り分け手段１４を構成することができる。尚、保持手段１８の凹部１８ａにて遊技球を一旦保持し得るので、流路部１７を通過する遊技球を１つづつ交互に第１始動口８及び第２始動口９に向けて排出することができ、より確実に始動口毎の入賞率の偏りを回避することができる。
【００２７】
次に、本発明に係る第２の実施形態のパチンコ遊技機について説明する。
本実施形態に係るパチンコ遊技機は、上記第１実施形態と略同様の全体構成を成すものであるが、図４及び図５に示すように、その遊技盤中央に形成された役物５には、上記振り分け手段１４とは異なる振り分け手段１４’が設けられている。尚、上記第１実施形態と同様の構成要素には同一の符号を付すこととし、その詳細な説明を省略する。
【００２８】
振り分け手段１４’は、検知手段１９と、正面視で扇状の板状部材から成る保持手段２１（本発明の流路変更手段も兼ねる）と、駆動手段としてのモータ２０（図５参照）とから成り、このうち保持手段２１は、流路部１７の途中に形成された振り分け室１７ｄにおいて、モータ２０の駆動により回動軸Ｌ２を中心として回動可能に配設されており、回動に伴って流路部１７を通過する遊技球の流路を順次変更し得るよう構成されている。
【００２９】
即ち、第１の実施形態と同様、検知手段１８とモータ２０を駆動させる制御手段（不図示）とは電気的に接続されており、保持手段２１は、通常時において、同図の如く中央位置とされて遊技球を一旦保持し得るとともに、検知手段１９が遊技球を検知すると、モータ２０の駆動により回動軸Ｌ４を中心に左方向或いは右方向へ回動し、第１始動口８側と第２始動口９側へ遊技球を順番に振り分けるよう構成されている。例えば検知手段１９が遊技球の通過を検知した後、保持手段２１を図２の状態から左方向へ回動して静止させると、当該保持手段２１の上部に保持された遊技球は排出口１７ｃ側に落下し、第２始動口９に入賞し得るとともに、その状態において遊技球が検知手段１９による遊技球の通過を検知した後、保持手段２１を右方向へ回動して静止させると、当該保持手段２１の上部に保持された遊技球は排出口１７ｂ側に落下し、第１始動口８に入賞し得るよう構成されている。
【００３０】
これにより、遊技球を当該２つの始動口に順番に振り分けることができ、第１始動口８及び第２始動口９の配設位置の相違から、始動口毎に入賞率の偏りが生じてしまうのを回避できるので、１つの遊技盤４上に独立した複数の図柄表示手段（第１図柄表示手段６及び第２図柄表示手段７）を設けたことによる遊技の興趣を遊技者に対して十分に付与することができる。
【００３１】
また、第１実施形態と同様、保持手段２１の回動に伴って流路部１７を通過する遊技球の流路を順次変更し、複数の始動口（第１始動口８及び第２始動口９）のそれぞれに向けて設定順序で順次遊技球を排出し得るので、比較的簡単な構成にて振り分け手段１４’を構成することができる。尚、保持手段２１は、扇状のものに限定されず、他の形状（正面視矩形状或いは楕円状等）のものとしてもよい。
【００３２】
次に、本発明に係る第３の実施形態のパチンコ遊技機について説明する。
本実施形態に係るパチンコ遊技機は、上記第１及び第２の実施形態と略同様の全体構成を成すものであるが、図６及び図７に示すように、その遊技盤中央に形成された役物５には、上記振り分け手段１４、１４’とは異なる振り分け手段１４”が設けられている。尚、先の実施形態と同様の構成要素には同一の符号を付すこととし、その詳細な説明を省略する。
【００３３】
振り分け手段１４”は、正面視で杵状の板状部材から成る流路変更手段２２と、該流路変更手段２２と連結された連動板２３と、遊技盤４の裏面側に延設された突出部２４と、連動板２３の先端側に固定された磁石２５と、突出部２４に固定され磁石２５と異極の磁石２６ａ、２６ｂとから構成されている。流路変更手段２２は、流路部１７の途中に形成された振り分け室１７ｄにおいて、回動軸Ｌ３を中心に回動自在とされており、回動に伴って流路部１７を通過する遊技球の流路を順次変更し得るよう構成されている。
【００３４】
連動板２３は、流路変更手段２２の裏面側で連結され、当該流路変更手段２２と共に回動軸Ｌ３を中心に回動可能とされている。その先端に固定された磁石２５は、流路変更手段２２が右方向へ回動して静止した状態（図６及び図８の状態）において、磁石２６ｂと対向した位置とされ、その磁力により互いに引っ張り合う力を働かせているとともに、流路変更手段２２が左方向へ回動して静止した状態（図９の状態）において、磁石２６ａと対向した位置とされ、その磁力により互いに引っ張り合う力を働かせている。
【００３５】
また、流路変更手段２２は、流路部１７を通過する遊技球と衝突し、その衝突力にて回動するよう構成されている。即ち、図８に示すように、右側に回動して磁石２５と２６ｂとの磁力により静止した流路変更手段２２の下部に遊技球が衝突すると、その衝突力により、磁石２５と２６ｂとの磁力に抗して流路変更手段２２が回動軸Ｌ３を中心に左方向（反時計回り）へ回動するので、図９に示すように、排出口１７ｂから第１始動口８へ遊技球が排出される。
【００３６】
このとき、連動板２３の連動によって磁石２５が磁石２６ａと対向した位置とされ、その磁力により流路変更手段２２が静止するようになっている。尚、かかる静止状態において、次の遊技球が流路変更手段２２の下部に遊技球が衝突すると、その衝突力により、磁石２５と２６ａとの磁力に抗して流路変更手段２２が回動軸Ｌ３を中心に右方向（時計回り）へ回動するので、排出口１７ｃから第１始動口８へ遊技球が排出される。
【００３７】
従って、本実施形態によれば、先の実施形態と同様、遊技球を２つの始動口（第１始動口８及び第２始動口９）に順番に振り分けることができ、これら始動口の配設位置の相違から、始動口毎に入賞率の偏りが生じてしまうのを回避できるので、１つの遊技盤４上に独立した複数の図柄表示手段（第１図柄表示手段６及び第２図柄表示手段７）を設けたことによる遊技の興趣を遊技者に対して十分に付与することができる。
【００３８】
また、本振り分け手段１４”によれば、流路変更手段２２が、流路部１７を通過する遊技球と衝突し、その衝突力にて回動して遊技球の流路を順次変更するので、モータ等別途の駆動手段を不要とすることができ、製造コスト及びメンテナンスコスト等を低減させることができる。更に、流路変更手段２２は、遊技球と衝突して回動した後、磁石２５と磁石２６ａ又は磁石２６ｂとが生じる磁力にて所定位置に静止し、遊技球を何れかの排出口１７ｂ又は１７ｃまで通過させ得るので、簡単な構成にて流路変更手段２２を所定位置に静止させることができ、選択された排出口に遊技球をより確実に導くことができる。
【００３９】
本実施形態においては、流路変更手段２２と連動する連動板２３に磁石２５が形成されているが、流路変更手段２２の裏面側に直に磁石２５を形成するものとしてもよい。また、磁石２５、２６ａ又は２６ｂは、永久磁石、電磁石又は着磁した部材などであってもよい。更に、流路変更手段２２側又はこれと対向する側の何れか一方に磁石を形成しておき、他方に鉄を配設するようにして、磁石と鉄の引き合う磁力にて流路変更手段２２を所定位置に静止させるようにしてもよい。尚、流路変更手段２２を左右の揺動状態にて静止させる手段は、上記の如く磁石のものに代えて、他の形態のもの（例えば所定位置にて流路変更手段２２を係止させるもの等）としてもよい。
【００４０】
以上、第１〜第３の実施形態について説明したが、本発明はこれらに限定されず、例えば、図柄表示手段及び始動口が１つの遊技盤上に、３つづつ以上形成したものにも適用することができる。更に、振り分け手段は、遊技盤上に弾発された遊技球を複数の始動口に順番に振り分けるべく、当該複数の始動口のそれぞれに向けて設定順序で順次遊技球を排出し得るものであれば、他の形態のもの（例えば役物に形成されず独立して形成されたもの等）としてもよい。
【産業上の利用可能性】
【００４１】
図柄を変動表示させる図柄表示手段及び該図柄表示手段のそれぞれに対応した始動口を複数具備したパチンコ遊技機であって、遊技盤上に弾発された遊技球を複数の始動口に順番に振り分けるべく、当該複数の始動口のそれぞれに向けて設定順序で順次遊技球を排出し得る振り分け手段を備えたものであれば、外観形状が異なるもの或いは他の機能が付加されたものにも適用することができる。
【図面の簡単な説明】
【００４２】
【図１】本発明の第１の実施形態に係るパチンコ遊技機を示す正面図
【図２】同パチンコ遊技機における役物を示す模式図
【図３】図２におけるＩＩＩ−ＩＩＩ線断面図
【図４】本発明の第２の実施形態に係るパチンコ遊技機における役物を示す模式図
【図５】図４におけるＶ−Ｖ線断面図
【図６】本発明の第３の実施形態に係るパチンコ遊技機における役物を示す模式図
【図７】図６におけるＶＩＩ−ＶＩＩ線断面図
【図８】第３の実施形態に係るパチンコ遊技機における振り分け手段の動作（右方向へ回動して静止した状態）を示す模式図
【図９】同振り分け手段の動作（左方向へ回動して静止した状態）を示す模式図
【符号の説明】
【００４３】
１    パチンコ遊技機
２    ガラス板
３    前面枠
４    遊技盤
５    役物
６    第１図柄表示手段
７    第２図柄表示手段
８    第１始動口
９    第２始動口
１０  大入賞口
１１  ハンドル
１２  上皿
１３  下皿
１４、１４’、１４”  振り分け手段
１５、１６  貯留個数表示ランプ
１７  流路部
１７ａ  導入口
１７ｂ、１７ｃ  排出口
１８、２１  保持手段
１９  検知手段
２０  モータ（駆動手段）
２２  流路変更手段
２３  連動板
２４  突出部
２５、２６ａ、２６ｂ  磁石
【図１】
2006247114.tif 000003
【図２】
2006247114.tif 000004
【図３】
2006247114.tif 000005
【図４】
2006247114.tif 000006
【図５】
2006247114.tif 000007
【図６】
2006247114.tif 000008
【図７】
2006247114.tif 000009
【図８】
2006247114.tif 000010
【図９】
2006247114.tif 000011